(57)【要約】【課題】  本発明は、誤作動を防止して信頼性の向上する氷供給装置を備えた冷蔵庫を得ることを目的とする。【解決手段】  開口を有する貯蔵室と、該貯蔵室の開口を開閉する貯蔵室ドアと、前記貯蔵室の上部に設けられた製氷装置と、前記貯蔵室ドアに設けられて前記製氷装置で製氷された氷を庫外へ供給する氷供給装置と、を有する冷蔵庫において、前記氷供給装置を駆動させる電気回路に直列接続された扉開閉検出スイッチを複数有し、該複数の扉開閉検出スイッチが前記貯蔵室ドアが閉じられたことを検知した場合に前記氷供給装置を駆動することを特徴とする。【選択図】図６
2010071564.tif 000002
【特許請求の範囲】
【請求項１】
開口を有する貯蔵室と、該貯蔵室の開口を開閉する貯蔵室ドアと、前記貯蔵室の上部に設けられた製氷装置と、前記貯蔵室ドアに設けられて前記製氷装置で製氷された氷を庫外へ供給する氷供給装置と、を有する冷蔵庫において、
前記氷供給装置を駆動させる電気回路に直列接続された扉開閉検出スイッチを複数有し、該複数の扉開閉検出スイッチが前記貯蔵室ドアが閉じられたことを検知した場合に前記氷供給装置を駆動することを特徴とする冷蔵庫。
【請求項２】
請求項１において、前記扉開閉検出スイッチの少なくとも一つは前記貯蔵室の外側に設けられることを特徴とする冷蔵庫。
【請求項３】
請求項１において、前記複数の扉開閉検出スイッチの少なくとも一つは前記貯蔵室の外側上部に設けられ、その他の前記扉開閉検出スイッチの一つは前記貯蔵室内の側面であって前記氷供給装置の高さに設けられることを特徴とする冷蔵庫。
【請求項４】
請求項１において、前記扉開閉検出スイッチの少なくとも一つは前記貯蔵室ドアの上部又は前記貯蔵室ドアのヒンジ部に設けられ、前記貯蔵室ドアの閉動作に伴って前記扉開閉検出スイッチを操作する凸部が前記貯蔵室ドアのヒンジ部又は前記貯蔵室ドアの上部に設けられたことを特徴とする冷蔵庫。
【請求項５】
請求項１において、前記貯蔵室ドアの内側に設けられ且つ前記貯蔵室ドアを閉じた場合に前記製氷装置の下方に位置して前記製氷装置で製氷された氷を受け入れる上方開口を有する貯氷空間と、該貯氷空間内に設けられた攪拌部材とを有し、前記貯氷空間であって且つ前記攪拌部材の上方に棒状部材が設けらたことを特徴とする冷蔵庫。
【発明の詳細な説明】
【技術分野】
【０００１】
本発明は冷蔵庫に関するものである。
【背景技術】
【０００２】
製氷室で製氷した氷を扉に設けた供給口より角氷、或いは角氷を破砕した氷を任意に使用者が選択し、取り出すことができる氷供給装置付き冷蔵庫としては、特許文献１及び特許文献２が挙げられる。
【０００３】
特許文献１における氷供給装置を備えた冷蔵庫は、氷を作る製氷機，氷を貯蔵しておく貯氷容器、及び氷を破砕する氷破砕容器を冷蔵庫本体側に設け、冷蔵庫を使う人の要求により破砕した氷を扉側に移送し、扉に設けた供給口より提供するようにしたものである。
【０００４】
また、特許文献２における氷供給装置は、氷を鉛直方向に移送し、扉に設けた供給口より提供するようにしたものである。
【０００５】
特許文献１及び２に示す氷供給装置を備えた冷蔵庫は、扉開閉検出スイッチ（以下、適宜「ドアスイッチ」と称する）により、扉を開放した状態で氷供給装置が作動しない構造となっている。
【０００６】
【特許文献１】特開２００５−３１５５７１号公報
【特許文献２】米国特許第６４２５２５９号公報
【発明の開示】
【発明が解決しようとする課題】
【０００７】
特許文献１や２に示す氷供給装置を備えた冷蔵庫は、氷供給装置を作動させる電気回路内に１つのドアスイッチを電気的に直列に配置している。
【０００８】
しかし、ドアスイッチの凍結や故障により扉が閉まっていると誤検出した場合や、使用者が故意にドアスイッチを操作して扉が閉まっていると検出した場合は、実際には扉が開いているにも関わらず、氷供給装置が作動する、という課題があった。
【０００９】
また、氷供給装置は製氷装置から氷を受け取る開口を有するが、この開口が広いと手指が簡単に挿入できるという課題があった。
【００１０】
また、一般的な冷蔵庫では、製氷装置の運転を停止するスイッチを手動で操作しないと、氷供給装置を取り外している場合などに、冷凍室内に製氷装置から離氷した氷が散乱してしまうという課題があった。
【００１１】
上記課題を解決するために、本発明は、誤作動を防止してかつ信頼性の向上する氷供給装置を備えた冷蔵庫を得ることを目的とする。
【課題を解決するための手段】
【００１２】
上記目的を達成するために、本発明は、開口を有する貯蔵室と、該貯蔵室の開口を開閉する貯蔵室ドアと、前記貯蔵室の上部に設けられた製氷装置と、前記貯蔵室ドアに設けられて前記製氷装置で製氷された氷を庫外へ供給する氷供給装置と、を有する冷蔵庫において、前記氷供給装置を駆動させる電気回路に直列接続された扉開閉検出スイッチを複数有し、該複数の扉開閉検出スイッチが前記貯蔵室ドアが閉じられたことを検知した場合に前記氷供給装置を駆動することを特徴とする。
【００１３】
また、前記扉開閉検出スイッチの少なくとも一つは前記貯蔵室の外側に設けられることを特徴とする。
【００１４】
また、前記複数の扉開閉検出スイッチの少なくとも一つは前記貯蔵室の外側上部に設けられ、その他の前記扉開閉検出スイッチの一つは前記貯蔵室内の側面であって前記氷供給装置の高さに設けられることを特徴とする。
【００１５】
また、前記扉開閉検出スイッチの少なくとも一つは前記貯蔵室ドアの上部又は前記貯蔵室ドアのヒンジ部に設けられ、前記貯蔵室ドアの閉動作に伴って前記扉開閉検出スイッチを操作する凸部が前記貯蔵室ドアのヒンジ部又は前記貯蔵室ドアの上部に設けられたことを特徴とする。
【００１６】
また、前記貯蔵室ドアの内側に設けられ且つ前記貯蔵室ドアを閉じた場合に前記製氷装置の下方に位置して前記製氷装置で製氷された氷を受け入れる上方開口を有する貯氷空間と、該貯氷空間内に設けられた攪拌部材とを有し、前記貯氷空間であって且つ前記攪拌部材の上方に棒状部材が設けらたことを特徴とする。
【発明の効果】
【００１７】
本発明によれば、誤作動を防止してかつ信頼性の向上する氷供給装置を備えた冷蔵庫を得ることができる。
【発明を実施するための最良の形態】
【００１８】
以下、本発明の実施形態について説明する。
【実施例１】
【００１９】
まず、図１及び図２を用いて、冷蔵庫の基本構成を説明する。
【００２０】
図１は、本実施の形態に係る冷蔵庫の斜視図である。本実施の形態の冷蔵庫１は、図１に示すような外観を有し、ドアに設けられたディスペンサー部１０において水や氷を提供する機能を有するものである。この冷蔵庫１は、ブロック状の氷（いわゆるブロックアイス）や細かく破砕された氷（いわゆるクラッシュドアイス）を提供することができる。更に、この冷蔵庫１はサイドバイサイドと呼ばれるタイプのものであり、図２に示すように、縦仕切２によって左右に区画された断熱箱体１ａと、断熱箱体１ａの左側に設けられた冷凍温度帯（例えば、零度以下）の第１貯蔵室２０と、右側に設けられて第１貯蔵室２０よりも高い温度帯（例えば、冷蔵温度帯のおよそ４乃至１０度）の第２貯蔵室３０とを有する。すなわち、貯蔵室が左右全高に亘って大きく分割し、左右それぞれ全高に亘ってほぼ同じ温度帯であることを特徴とする冷蔵庫である。
【００２１】
図２は、冷蔵庫１の左右のドアを開放した状態であり、冷蔵庫の内部構造を表したものである。冷蔵庫１は貯蔵温度が０℃以下の第１貯蔵室２０と、貯蔵温度が０℃より高い第２貯蔵室３０とが縦仕切２で左右に区画されて配置されている。具体的には冷蔵庫１は、向かって左側の第１貯蔵室２０が冷凍室（以下冷凍室２０と称する）、向かって右側の第２貯蔵室３０が横仕切部３１を介して上下に分割し、上部が冷蔵室３２、下部が野菜室３３とする。そして冷凍室２０，冷蔵室３２，野菜室３３に対応して冷凍室ドア２１，冷蔵室ドア３４，野菜室ドア３５が設けられており、この冷蔵庫１は３ドアタイプの冷蔵庫である。
【００２２】
次に第１貯蔵室（冷凍室）２０について説明する。冷凍室２０の上部の前方には、製氷装置５０が設けてある。この製氷装置５０では、略直方体形状（例えば４２mm×３２mm×２５mm）の氷が複数同時に製造される。また、冷凍室２０には、製氷装置５０で製造された氷を貯氷空間４１に貯蔵する氷供給装置４０が設けられている。この氷供給装置４０は、冷凍室ドア２１の庫内側に設けられている。
【００２３】
次に第２貯蔵室３０（すなわち冷蔵室３２及び野菜室３３）について説明する。第２貯蔵室３０は、製氷装置５０や給水部３６ａに給水する給水タンク３６を備えている。この給水タンク３６は、冷蔵室３２と野菜室３３とを仕切る横仕切部３１の上面に配置されている。また、前記給水部３６ａは、配管によって給水タンク３６と接続されており、給水部３６ａ用の配管は、給水タンク３６から冷蔵庫１の奥行き方向に向かって冷蔵庫１の外側まで延び、そこから背面及び底面に沿って冷凍室ドア２１まで延び、冷凍室ドア２１の下方のヒンジ部２４を経由し、冷凍室ドア２１の中を上昇して給水部３６ａに到達するように設けられている（配管経路は図示せず）。一方、製氷装置５０用の配管は、給水タンク３６から冷蔵庫１の奥行き方向に向かって冷蔵庫１の外側まで延び、そこから背面及び天井面に沿って冷凍室ドア２１側へ向かい、天井面の途中位置から冷蔵庫筐体を貫通して製氷装置５０に到達するように設けられている（配管経路の図示せず）。
【００２４】
また、冷蔵庫１には、製氷装置５０で製造された氷をディスペンサー部１０において提供する氷供給装置４０が設けてある。更に、冷蔵庫１には、水を提供するための給水部３６ａが設けてある。
【００２５】
氷供給装置４０は、冷凍室ドア２１の庫内側に設けてある。なお、製造された氷は、製氷装置５０から下方に落下させ、貯氷空間４１に貯蔵される。すなわち、図６に示すように、貯氷空間４１は、その氷を製氷装置５０より下方で受け止める位置関係となっている。具体的には、氷供給装置４０の貯氷空間４１の上方開口４２が、製氷装置５０の下方となるように配置されている。そして、氷供給装置４０は、冷凍室ドア２１を閉じると、製氷装置５０より下方に位置する状態となる。
【００２６】
ディスペンサー部１０は、図１及び図２に示すように、使い勝手を考慮して冷凍室ドア２１の高さ方向中央部付近の位置に設けられている。ディスペンサー部１０には、水や氷を提供するための凹部３が形成され、該凹部３より上方位置に氷供給装置４０や給水部３６ａ等を操作する操作部１３ａ、及び各種情報を表示する表示部１３ｂが設けられている。操作部１３ａには、「水，ブロックアイス、及びクラッシュドアイス」といった提供物に対応したボタンが備えられている。表示部１３ｂには、各種情報を表示するディスプレイや各種情報に対応して点灯するランプ等が備えられている。これらで表示される情報は、例えば、庫内温度，給水タンク３６内の水の残量、操作部３で選択された提供物の種類、あるいは製氷に関する異常の知らせである。
【００２７】
凹部３は、冷凍室ドア２１を内側に向かって凹状に形成された部分であり、その下部には、コップ等を載置することができるように水平方向に沿う載置部１４が設けられている。載置部１４は好ましくは、例えばコップの底面に付いた水滴等の水切りを容易にするために、網状の部材を用いて構成される。また、ディスペンサー部１０には、コップ等を押し付けて氷供給装置４０や給水部３６ａを作動させるためのレバー１５が設けられ、給水部３６ａは該給水部３６ａの出水部が、ディスペンサー部１０の凹部３に位置するように設けてある。
【００２８】
次に、図３から図５を参照してサイドバイサイドと呼ばれる冷蔵庫１の基本的な構造と冷気循環構造について説明する。図３は、第１貯蔵室２０（冷凍室）の縦断面図である。図４は、第２貯蔵室３０の縦断面図である。図５は、送風ファン１０４近傍の横断面図である。
【００２９】
図３を用いて冷凍室ドア２１について説明する。冷凍室ドア２１は、該冷凍室ドア２１の内部と外部とが一部連通する構造を有する。具体的には冷凍室ドア２１は、連通開口２３を介して冷凍室ドア２１の内部と外部とが連通している。連通開口２３は、水平方向及び鉛直方向に対して斜めに開口している。そしてこの連通開口２３より庫内側に、氷供給装置４０が設置される。また、連通開口２３より庫外側には、ディスペンサー部１０が設けられている。
【００３０】
冷蔵庫１本体の後方下部には機械室１２を形成し、この機械室１２に圧縮機１１を備えている。第１貯蔵室である冷凍室２０の背面側には、庫内の循環空気を冷却する冷却器１３（冷却器室１６内に配置）と、この冷却器１３で生成された冷気を貯蔵室内に循環させる送風ファン１０４を設けている。なお、冷却器１３は、圧縮機１１，凝縮器（図示なし），絞り（図示なし）を順次配管で接続しており、冷凍サイクルを形成している。送風ファン１０４は、製氷装置５０の後方に配置される。製氷装置５０が氷供給装置４０の位置に合わせて冷凍室２０の奥行方向の前方に配置されるため、それより奥の空間は製氷装置５０が障害となって使い勝手の悪いデッドスペースとなり易い。そこで、その空間に送風ファン１０４を配置することにより、デッドスペースを有効利用することができる。
【００３１】
冷蔵庫１は、送風ファン１０４及び製氷装置５０と、氷供給装置４０，ディスペンサー部１０と、冷却器室１６とが上下方向に位置をずらすように配置された構造を有するものである。即ち、送風ファン１０４及び製氷装置５０が冷凍室の高さ方向上部に配置され、氷供給装置４０及びディスペンサー部１０が冷凍室２０の高さ方向中間部に配置され、冷却器室１６が冷凍室の高さ方向下部に配置される。そして、氷供給装置４０，ディスペンサー部１０に対応する位置には、奥行きの小さい冷凍室ダクト１８ａが位置している。従って、冷凍室２０に複数設けられた仕切棚１０１部の奥行きを広くすることができる。また、仕切棚１０１の奥行寸法が高さ方向によって大きく異なることもなく、使い勝手が良い庫内配置となっている。
【００３２】
機械室１２は、第１貯蔵室２０及び第２貯蔵室３０の内側に張り出すように形成される。そして、図３に示す冷凍室２０では、庫内側の張り出し部８に合わせて、その上方に冷却器１３を備えた冷却器室１６が形成される。この冷却器室１６は、冷凍室２０との区画壁面１０２で仕切られ、冷却器１３の下部には除霜用ヒータ１７が配置される。更に、この冷却器室１６には冷凍室２０の冷気を冷却器室１６に取り込むための冷気戻り口１９が形成される。
【００３３】
冷却器１３は、冷気の流れ方向の高さを低く抑えて、冷却器の奥行き寸法を大きくした形状であるので、冷却器室１６の高さは、冷凍室容器２８を設けてある高さ、あるいはディスペンサー部１０よりも低い位置に設定できる。冷却器１３の除霜運転時には、冷却器１３の下部に設けた除霜ヒータ１７を加熱して霜を解かす。除霜時には、ヒータ加熱により区画壁面１０２から冷凍室２０への熱漏洩や、冷気戻り口１９から冷凍室２０への加熱空気の流出現象が生じることがある。このような場合、冷却器室１６の高さを冷凍室容器２８が設けてある高さよりも低く設定することにより、加熱された空気は冷凍室容器２８の外周部をゆっくりと空気の密度差に従って循環するが、冷凍室容器２８の上側に設けた仕切棚１０１への影響は少ない。また、冷凍室容器２８では容器内部に食品を保存しているので、容器周囲の空気の温度変化による影響は少なくて済む。一方、仕切棚１０１の上に保存した食品は、周囲の空気の温度上昇による影響は大きい。従って、冷却器室１６と冷凍室容器２８の高さ方向の配置場所がほぼ同じか、または冷却器室１６の方を低く設定することにより、仕切棚１０１に保存した食品への温度上昇の影響を少なくすることが可能となる。
【００３４】
冷凍室２０の上方で製氷装置の奥側には送風ファン１０４が配置され、この送風ファン１０４と冷却器室１６は冷凍室奥側に設けたダクト１８ａにより接続される。そして、送風ファン１０４を駆動させると、冷却器室１６で生成した冷気が、ダクト１８ａを介して送風ファン１０４に取り込まれ、送風ファン１０４前部を覆う冷凍室２０との区画壁面１０２に形成した上部冷気吹出口１０３から冷凍室２０内に供給される。更に、製氷装置５０には製氷用ダクト１０５が形成され、製氷装置５０に冷気が供給されるようになっており、製氷装置５０を通過した冷気は、冷凍室２０の上部から放出される。
【００３５】
また、図３において、冷凍室２０の奥側には、ダクト１８ａと並んで冷凍室吹出ダクトが形成される（図３の縦断面図には記載なし）。この冷凍室吹出ダクトは、送風ファン１０４の冷気を下方に導いたものである。そして、この冷凍室吹出ダクトには、冷凍室２０を上下に仕切る複数の仕切棚１０１に合わせて複数の中間冷気吹出口が形成され、上部冷気吐出口１０３に吐出した冷気の残りは、この中間冷気吹出口から冷凍室２０内に供給されるようになっている。そして、上部冷気吹出口１０３及び複数の中間冷気吹出口から供給された冷気は、冷凍室２０内を上方から下方に向かって流れ、その後、冷気戻り口１９から冷却器室１６内に戻される。
【００３６】
次に、図４は第２貯蔵室３０（冷蔵室３２及び野菜室３３）の縦断面図である。冷蔵室３２へ供給される冷気は、冷蔵室３２の上部に設けたダンパ７から供給される。このダンパ７は縦仕切壁２を貫く連絡ダクト９（図５参照）を介して送風ファン１０４と接続している。従って、ダンパ７を開放すると送風ファン１０４から冷気が供給され、この冷気がダンパ７の前部を覆う区画壁２０１に設けた上部冷気吹出口２０３から冷蔵室３２内に供給される。また、ダンパ７には冷蔵室３２の後方に形成される冷蔵室ダクト２５が連通される。冷蔵室裏面ダクト２５には、冷蔵室３２を上下に仕切る仕切棚２０２に合わせて複数の中間冷気吹出口２０４が形成され、ダンパ７を開放することによってこの中間冷気吹出口２０４からも冷気が冷蔵室３２内に供給される。
【００３７】
次に、図３から図５に示すように、送風ファン１０４から吐出される冷気は、製氷装置５０（製氷用吐出口１０６），第２貯蔵室（第２貯蔵室冷気供給口２０３），冷凍室２０（上部冷気吐出口１０３と中間冷気吐出口）に分配される。また、製氷装置５０に供給された冷気は、下方部の冷凍室２０に放出される。本実施の形態の冷蔵庫１では、送風ファン１０４から吐出される冷気は、大きく分類すると製氷装置５０，冷蔵室３２，冷凍室２０に分配される。また、冷却能力が不足する場合であっても、製氷装置５０、及び氷供給装置４０の奥側に送風ファン１０４を配置しているため、送風ファン１０４の回転数を上げて冷却能力を高める場合でも、送風ファン１０４の前方に配置した製氷装置５０、及び氷供給装置４０による遮音効果により、ファン回転数アップによる騒音増大を防止することができる。製氷装置５０に供給する冷気を増やして製氷能力を上げる風量分配を行っても、製氷装置５０を通過した冷気は、その後冷凍室２０の上部から冷凍室２０に放出されるので、冷凍室２０の冷却能力向上にも役立つ。
【００３８】
また、図４に示すように、冷蔵室３２に供給された冷気は、冷蔵室３２を上方から下方に流れて、冷気戻り口２３から冷蔵室３２の底面を構成する横仕切壁４に取り込まれる。横仕切壁４の内部には、戻りダクト２７の一部が形成される。戻りダクト２７は、横仕切壁４の内部に形成される水平戻りダクト２６ａと、野菜室３３の裏面側に上下方向に形成される垂直戻りダクト２６ｂと、縦仕切壁２を貫いて冷却器室１６へ冷気を戻すための横断戻りダクト２６ｃとから構成される。
【００３９】
次に、図６を用いて、扉開閉検出スイッチの設置位置について説明する。図６は、図１のＡ−Ａ断面図である。図７は、図６のＢ−Ｂ断面図である。
【００４０】
本実施の形態は、扉開閉検知スイッチ３７を複数個設置する。本実施の形態では、扉開閉検知スイッチ３７ａを庫内側に設け、扉開閉検知スイッチ３７ｂを冷凍室ドア２１側に設ける。扉開閉検知スイッチ３７ａ，３７ｂは、氷供給装置４０の作動回路（図示しない）に対して電気的に直列に接続される。具体的に、図６に示すように、扉開閉検知スイッチ３７ａは、冷凍室２０内の側壁に設けられる。また、扉開閉検知スイッチ３７ａは、氷供給装置４０の高さに設けられる。扉開閉検知スイッチ３７ｂは、冷凍室ドア２１の上部又はヒンジカバー２４内に設けられる。すなわち、扉開閉検知スイッチ３７ｂは、冷凍室２の外側（庫外）に設けられる。
【００４１】
扉開閉検知スイッチ３７ａ，３７ｂは、冷凍室ドア２１が閉じた状態で、冷凍室ドア２１によりスイッチのプランジャが押されて通電を遮断する構成となっている。
【００４２】
庫内側の扉開閉検知スイッチ３７ａは、庫内灯（図示しない）の点灯や消灯も管理する。そのため、冷凍室ドア２１の開閉に合わせて動作させる必要があり、一般的に庫内に設置される。しかし、動作不良によって、冷凍室ドア２１が閉まっていると誤検知する場合がある。この場合、冷凍室ドア２１が開いた状態でレバー１５を操作することで、氷供給装置４０が作動する。
【００４３】
図７に示すように、氷供給装置４０の貯氷空間４１の内部に備えられた攪拌部材１２１や破砕部材１５０は、氷排出動作時に回転するため、冷凍室ドア２１が開いた状態では動作しない構成にする必要がある。
【００４４】
そこで、冷凍室ドア２１側の扉開閉検知スイッチ３７ｂを、庫内側の扉開閉検知スイッチ３７ａと電気的に直列に接続する。すなわち、氷供給装置４０を駆動させる電気回路に直列接続された扉開閉検知スイッチ３７を複数有し、この複数の扉開閉検知スイッチ３７によって冷凍室ドア２１が閉じられたことを検知した場合にのみ、氷供給装置４０を駆動するようにする。
【００４５】
換言すると、本実施の形態では、双方の扉開閉検知スイッチ３７ａ，３７ｂが故障等しない限り、冷凍室ドア２１を開いた状態でレバー１５を操作しても、氷供給装置４０は作動しない。これにより、安全性を確保して信頼性を向上することができる。
【００４６】
また、使用者が故意に冷凍室ドア２１側の扉開閉検知スイッチ３７ｂと、庫内側の扉開閉検知スイッチ３７ａの、双方のプランジャを押して冷凍室ドア２１が閉まっていると誤検知させようとした場合、冷凍室ドア２１側と庫内側の扉開閉検知スイッチ３７ａ，３７ｂが片手で操作できない距離まで離れた位置に設置している。そのため、使用者が同時に扉開閉検知スイッチ３７ａ，３７ｂを押すことはできない構成である。これにより、冷凍室ドア２１が開いた状態で氷供給装置４０を作動させることはないので、信頼性を向上することができる。
【００４７】
また、冷凍室ドア２１側の扉開閉検知スイッチ３７ｂを冷凍室２０の内部とならない位置に設置する。これにより、凍結による動作不良が防止できる。
【００４８】
更に、冷凍室ドア２１側の扉開閉検知スイッチ３７ｂを冷蔵庫１の最上部となるヒンジカバー２４ａと接触する位置に設ける。これにより、子供は手が届かない位置なので、いたずらを防ぐことができる。
【００４９】
次に、氷供給装置４０の設置位置について説明する。図２に示すように、氷供給装置４０は、冷蔵庫１を設置する床面から十分に高い位置に、上方開口４２を配置している。具体的に、本実施の形態では、床面から上方開口４２までの高さであるＣ寸法は、約１５００mmである。これにより、氷供給装置４０の内部に子供等の手が届きにくい構造として、信頼性を向上することができる。
【００５０】
また、図７に示すように、氷供給装置４０の内部に配置する攪拌部材１２１は、氷供給装置４０の上部開口４２から下方に位置する。具体的に、本実施の形態では、氷供給装置４０の上方開口４２から攪拌部材１２１の上部までの高さであるＤ寸法は、約８０mmである。これにより、氷供給装置４０の内部に使用者の手指が届きにくい構造として、信頼性を向上することができる。
【００５１】
また、冷凍室ドア２１を閉じた際、氷供給装置４０内の氷には冷凍室ドア２１を閉じる動作に伴う慣性力が働く。そして、冷凍室ドア２１の閉じる速度が速い場合、氷に作用する慣性力は大きくなる。そうすると、氷供給装置４０の上方開口４２から氷が冷凍室２０内に飛び出すおそれがある。そこで、本実施の形態では、図９（ａ）および（ｂ）に示すように、氷供給装置４０の内部であって、攪拌部材１２１の上方に棒状部材４３を設置する。棒状部材４３を設けることで、氷供給装置４０内に貯蔵した氷が、上方開口４２から飛び出そうとする場合、棒状部材４３に氷が接触して、冷凍室２０内に落下することを防ぐことができる。
【００５２】
具体的に、氷供給装置４０内の氷は、例えば、冷凍室ドア２１の開閉による温度変化によって、表面の一部が融解し、再度凍結される。このとき、隣り合う氷同士が接触したまま凍結して、ひとつの氷塊となることがある。氷塊は、攪拌部材１２１の撹拌動作によって、分離される構成である。
【００５３】
しかし、氷塊が成長すると、攪拌部材１２１の攪拌動作によって、氷塊の状態のまま氷供給装置４０の上方に持ち上げられるだけであり、氷塊を分離できないことがある。
【００５４】
そこで、棒状部材４３の高さ位置を、氷供給装置４０上端部であって、上方開口４２を区分する高さ位置とする。そうすると、撹拌部材１２１の撹拌動作によって氷塊が上方に持ち上げられた場合に棒状部材４３に接触する高さとした。これにより、強固に氷結した氷塊であっても、撹拌部材１２１が撹拌動作すると、氷塊が押し上げられて、棒状部材４３に押し付けられ、氷を分離することができる。つまり、棒状部材４３が撹拌部材１２１の動作を補助する。
【００５５】
以上のように、製氷装置５０で製氷した氷の通過は阻害せず、かつ使用者が不用意に氷供給装置４０内に手指を挿入することを防止して、信頼性を向上した安全構造とすることができる。
【００５６】
また、棒状部材４３は、氷供給装置４０の冷凍室ドア２１からの着脱や、運搬する際に把手として使用できる強度を有する。すなわち、棒状部材４３は、把手として使用する際の重量バランスを配慮して、上方開口４２の略中央位置に設けられても良い。
【００５７】
また、本実施の形態では、図６に示すように、氷供給装置４０内に貯蔵された氷の量を感知する方法として、検氷レバー５２を用いる。そのため、検氷レバー５２の通過位置を避けて棒状部材４３を配置している。また、光電素子（図示しない）を用いた場合は、氷供給装置４０の中央に棒状部材４３を配置しても良い。
【００５８】
棒状部材４３の形状は、上記効果を奏することができる種々の形状であればよく、例えば、板状，線状等であってもよい。
【００５９】
次に、図１０を用いて、氷供給装置４０の取り外し構造について説明する。図１０（ａ）は、氷供給装置４０がベース部材２００に取り付けられた状態を示し、（ｂ）は氷供給装置４０を取り外した状態を示す。
【００６０】
図１０（ａ）及び（ｂ）に示すように、氷供給装置４０は、氷供給装置検出スイッチ１９３を備えたベース部材２００に着脱自在に取り付けられる。氷供給装置４０がベース部材２００に取り付けられた状態では、氷供給装置検出スイッチ１９３のプランジャ（図示しない）が氷供給装置４０に押されて、電気回路上に閉回路を形成し、製氷装置５０が作動する。
【００６１】
また、氷供給装置４０がベース部材２００から取り外された状態では、氷供給装置検出スイッチ１９３のプランジャ（図示しない）は押されないため、電気回路上、開回路を形成するため、製氷装置５０は作動しない。
【００６２】
以上のように、本実施の形態の冷蔵庫は、使用者の誤操作等を防止することで、氷供給装置を安全に作動させることができる。
【実施例２】
【００６３】
実施の形態２について、図８を用いて説明する。図８は、第２の実施の形態に係る扉開閉検知スイッチを示す斜視図である。
【００６４】
図８に示すように、扉開閉検知スイッチ３８のプランジャを、冷凍室ドア２１の内部に収納し、ヒンジカバー２４ｂに設けた凸部で押す構造とする。すなわち、扉開閉検知スイッチ３８のプランジャは、冷凍室ドア２１の閉動作によって、ヒンジカバー２４ｂに設けた凸部で押されて操作される構成である。
【００６５】
これにより、使用者が不用意に手指で操作できない構造となり、冷凍室ドア２１を開いた状態で攪拌部材１２１や破砕部材１５０が動作しないようにすることで、信頼性を向上することができる。なお、冷凍室２０側の扉開閉検知スイッチ３８にマグネットスイッチなどを使用してもよく、その他使用者が手指で操作できない構造としても良い。
【００６６】
また、冷蔵庫１の天井面でヒンジカバー２４ｂの内部にスイッチを設置し、スイッチと相対する位置となる冷凍室ドア２１に凸部を設けて、該凸部でスイッチを操作する構造としても良い。この場合、スイッチを冷蔵庫１に直接固定することにより、スイッチ３８の取付位置ずれによるスイッチ３８の誤動作を防止することができる。
【００６７】
その他の説明していない構成については、第一の実施の形態と同様である。
【００６８】
以上のように、本発明は、氷供給装置４０を作動させる電気回路内に複数個の扉開閉検知スイッチを電気的に直列に設けることで、いずれかの扉開閉検知スイッチが故障や凍結した場合においても、冷凍室ドア２１が開いている状態では氷供給装置は作動しないので、安全に使用できる氷供給装置を備えた冷蔵庫が得られる。
【００６９】
また、使用者が複数の扉開閉検知スイッチを操作しながら氷供給装置４０を操作できないように、ドアスイッチどうしの距離を離して設けることで、更に安全に使用できる氷供給装置を備えた冷蔵庫が得られる。
【００７０】
また、複数個の扉開閉検知スイッチのうちの少なくても１つを、使用者が直接、手指で操作できない構造とすることで、更に安全に使用できる氷供給装置を備えた冷蔵庫が得られる。
【００７１】
なお、複数個の扉開閉検知スイッチのうちの少なくても１つを冷蔵庫１の庫外に配置することで、冷蔵庫１の冷却運転による扉開閉検知スイッチの凍結が防止できるので、更に安全に使用できる氷供給装置を備えた冷蔵庫が得られる。
【００７２】
また、製氷装置５０で製氷した氷を氷供給装置４０が受け取る開口の一部を遮蔽することで、氷供給装置４０の内部に、使用者が不用意に手指を挿入することを防ぎ、安全に使用できる氷供給装置を備えた冷蔵庫が得られる。
【００７３】
また、冷凍室ドア２１に氷供給装置４０が取り付けられているか否かを氷供給装置検出スイッチ１９３で検知することにより、冷凍室ドア２１に氷供給装置４０が取り付けられていない場合、製氷動作を停止させることにより、庫内への氷の散乱を防止できると共に、不要な場合に製氷を行わないことで、消費電力を抑えた氷供給装置を備えた冷蔵庫が得られる。
【図面の簡単な説明】
【００７４】
【図１】本発明の第一の実施形態に係る製氷装置を備えた冷蔵庫を示す斜視図である。
【図２】本発明の第一の実施形態に係る冷蔵庫ドアを開いた状態を示す正面図である。
【図３】本発明の第一の実施形態に係る冷蔵庫の冷凍室側の縦断面図である。
【図４】本発明の第一の実施形態に係る冷蔵庫の冷蔵室及び野菜室側の縦断面図である。
【図５】本発明の第一の実施形態に係る冷蔵庫の上断面図である。
【図６】図１に示すＡ−Ａ線の断面図である。
【図７】図６に示すＢ−Ｂ線の断面図である。
【図８】本発明の第二の実施形態に係る冷蔵庫の扉開閉検知スイッチの構成図である。
【図９】本発明の第一の実施形態に係る冷蔵庫の氷供給装置の図である。
【図１０】本発明の第一の実施形態に係る冷蔵庫の氷供給装置の図である。
【符号の説明】
【００７５】
１  冷蔵庫
１０  ディスペンサー部
１３  冷却器
１４  載置部
１５  レバー
２０  第１貯蔵室（冷凍室）
２１  冷凍室ドア
２４ａ  ヒンジカバー
２４ｂ  ヒンジカバー（扉開閉検知スイッチ押下凸部付属）
３０  第２貯蔵室
３２  冷蔵室
３３  野菜室
３４  冷蔵室ドア
３５  野菜室ドア
３７  扉開閉検知スイッチ（ドアスイッチ）
３８  扉開閉検知スイッチ（ヒンジカバーに扉開閉検知スイッチ押下凸部付属品対応）
４１  貯氷空間
４２  上方開口
４３  棒状部材（上端開口部の一部遮蔽）
５０  製氷装置
５２  検氷レバー
１２１  攪拌部材
１５０  破砕部材
１５１  一方の刃体（固定刃）
１５２  他方の刃体（可動刃）
１９３  氷供給装置検出スイッチ
２００  ベース部材
【図１】
2010071564.tif 000003
【図２】
2010071564.tif 000004
【図３】
2010071564.tif 000005
【図４】
2010071564.tif 000006
【図５】
2010071564.tif 000007
【図６】
2010071564.tif 000008
【図７】
2010071564.tif 000009
【図８】
2010071564.tif 000010
【図９】
2010071564.tif 000011
【図１０】
2010071564.tif 000012